(57)【要約】【課題】装置本体を支持するスタンドを取手としても使用し、コストダウンや製造工程のスリム化を図った薄型表示装置を提供する。【解決手段】液晶ディスプレイ装置１は、ケーシング２と、ケーシング２の前面にて映像を表示する表示部９と、ケーシング２を支持するスタンド６と、を備えている。スタンド６は、ケーシング２の後面中心部に設けられ該後面に対し水平に回転するヒンジ部３と、該ヒンジ部３に連結され該ヒンジ部３とともに回転するアーム部４と、を有している。ヒンジ部３は、ケーシング２の後面中心から僅かに上の位置に、回転軸７でケーシング２と固定されている。アーム部４は、ケーシング２に対し前後方向に可動し、且つ該アーム部４の中間部に孔部８が設けられている。そして、アーム部４は、該アーム部４をケーシング２に対し上方へ回転させた場合に、該孔部８がケーシング２の上方に突出する。【選択図】  図１
2006301211.tif 000002
【特許請求の範囲】
【請求項１】
装置本体の前面にて映像を表示する表示部と、
前記装置本体を支持するスタンドと、を備えた薄型表示装置において、
前記スタンドは、前記装置本体の後面中心部に設けられ該後面に対し水平に回転するヒンジ部と、該ヒンジ部に連結され該ヒンジ部とともに回転するアーム部と、を有し、
前記アーム部は、前記装置本体に対し前後方向に可動し、且つ該アーム部の中間部に孔部が設けられており、
該アーム部を前記装置本体に対し上方へ回転させた場合に、該孔部が前記装置本体の上方に突出し、
前記装置本体の後面中心部に設けられ、前記ヒンジ部を前記装置本体に対し縦方向上下へスライドさせるスライド手段を備え、
前記装置本体の後面の縦方向中心部よりも上部に設けられ、前記アーム部を前記装置本体に対し上方へ回転させた位置で該アーム部を前記装置本体に固定する嵌合手段を備えた薄型表示装置。
【請求項２】
装置本体の前面にて映像を表示する表示部と、
前記装置本体を支持するスタンドと、を備えた薄型表示装置において、
前記スタンドは、前記装置本体の後面中心部に設けられ該後面に対し水平に回転するヒンジ部と、該ヒンジ部に連結され該ヒンジ部とともに回転するアーム部と、を有し、
前記アーム部は、前記装置本体に対し前後方向に可動し、且つ該アーム部の中間部に孔部が設けられており、
該アーム部を前記装置本体に対し上方へ回転させた場合に、該孔部が前記装置本体の上方に突出する薄型表示装置。
【請求項３】
前記装置本体の後面中心部に設けられ、前記ヒンジ部を前記装置本体に対し縦方向上下へスライドさせるスライド手段を備えた請求項２記載の薄型表示装置。
【請求項４】
前記装置本体の後面の縦方向中心部よりも上部に設けられ、前記アーム部を前記装置本体に対し上方へ回転させた位置で該アーム部を前記装置本体に固定する嵌合手段を備えた請求項２又は３に記載の薄型表示装置。
【発明の詳細な説明】
【技術分野】
【０００１】
本発明は、液晶ディスプレイ装置などの薄型表示装置に関し、特に、装置本体を支持する他、取手としても使用可能なスタンドを備える薄型表示装置に関するものである。
【背景技術】
【０００２】
パーソナルコンピュータ等の情報機器に用いられる装置は、従来からブラウン管（ＣＲＴ）が広く用いられてきている。
【０００３】
しかし、液晶ディスプレイ装置、プラズマディスプレイ装置、ＥＬディスプレイ装置などの薄型表示装置（フラットディスプレイ）の低価格化および軽量化に伴ない、ＣＲＴに取って代わって薄型表示装置が普及してきた。
【０００４】
薄型表示装置の軽量化に伴ない、ユーザの使用形態も、従来のＣＲＴ型のように一つの場所に据え置くタイプに加え、必要に応じて気軽に場所を変えて使用するタイプが生まれてきた。
【０００５】
そこで、特許文献１に記載されたような薄型表示装置が提案されている。
【０００６】
この薄型表示装置は、装置本体を支持するためのスタンドと、ユーザが装置本体をより運び易く動かし易くするための取手と、を備えている。ユーザがテレビを見る時、装置本体は該スタンドで支持され、ユーザが持ち運びする時、ユーザは該取手を持ち装置本体を運ぶ。
【特許文献１】特開２００４−１１８１９１公報
【発明の開示】
【発明が解決しようとする課題】
【０００７】
しかしながら、特許文献１において、取手は、常時使用するものではないにも関わらず専用部品が必要である。これは、該取手のための材料を用意したり、製造工程を組まなければならないことを意味し、製造コスト高や製造工程の複雑化の一因ともなっている。
【０００８】
本発明はこのような従来の課題を解決しようとするものであり、装置本体を支持するスタンドを取手としても使用し、コストダウンや製造工程のスリム化を図った薄型表示装置を提供することを目的とする。
【課題を解決するための手段】
【０００９】
本発明の薄型表示装置は、前記課題を解決するために以下の構成を備えている。
（１）装置本体の前面にて映像を表示する表示部と、
前記装置本体を支持するスタンドと、を備えた薄型表示装置において、
前記スタンドは、前記装置本体の後面中心部に設けられ該後面に対し水平に回転するヒンジ部と、該ヒンジ部に連結され該ヒンジ部とともに回転するアーム部と、を有し、
前記アーム部は、前記装置本体に対し前後方向に可動し、且つ該アーム部の中間部に孔部が設けられており、
該アーム部を前記装置本体に対し上方へ回転させた場合に、該孔部が前記装置本体の上方に突出する。
【００１０】
この構成において、薄型表示装置は、例えば液晶ディスプレイ装置、プラズマディスプレイ装置、ＥＬディスプレイ装置である。前方向とは、表示部が設けられている方向であり、後方向とは、スタンドが設けられている方向である。また、上方とは、装置本体を地面に対し垂直に設置した状態を基準にした場合の上方という意味である。
【００１１】
ユーザが薄型表示装置でテレビ番組を見る場合、装置本体はスタンドで支持される。
【００１２】
そして、ユーザが薄型表示装置を持ち運びする場合、装置本体がスタンドに支持されている状態から、ユーザは該スタンドに対し次の（a）（b）の操作を行う。（a）スタンドのアーム部を装置本体に対し前方向に動かす。（b）スタンドを１８０度回転させる。
【００１３】
すると、アーム部の孔部が装置本体の上方に突出するため、ユーザは、その孔部に手を通すことができ、薄型表示装置を持ち運びすることができる。
【００１４】
なお、（a）（b）の順は、逆であっても構わない。
【００１５】
以上より、装置本体を支持するスタンドを取手としても使用し、製造費のコストダウンや製造工程のスリム化を図ることができる。
（２）前記装置本体の後面中心部に設けられ、前記ヒンジ部を前記装置本体に対し縦方向上下へスライドさせるスライド手段を備える。
【００１６】
この構成において、縦方向とは、ディスプレイの縦横を基準とした場合の縦方向という意味である。
【００１７】
スライド手段は、装置本体の重さに相当する力がヒンジ部に加わってもスライドせず、該力を超えた力がヒンジ部に加わった場合に、ヒンジ部を装置本体に対し縦方向上下へスライドさせる。装置本体の重さに相当する力を超えた力がヒンジ部に加わった場合とは、ユーザがヒンジ部に該力を加えた場合を想定している。
【００１８】
ユーザが薄型表示装置を持ち運びする場合、装置本体がスタンドに支持されている状態から、ユーザは該スタンドに対し次の（a）（b）（ｃ）の操作を行う。
【００１９】
（a）スタンドのヒンジ部を装置本体に対し縦方向上へスライドさせる。（ b）スタンドのアーム部を装置本体に対し前方向に動かす。（c）スタンドを１８０度回転させる。
【００２０】
すると、アーム部の孔部が装置本体の上方に突出するため、ユーザは、その孔部に手を通すことができ、スタンドを掴んで薄型表示装置を持ち運びすることができる。
【００２１】
なお、（a）（b）（c）の順は、問わない。
（３）前記装置本体の後面の縦方向中心部よりも上部に設けられ、前記アーム部を前記装置本体に対し上方へ回転させた位置で該アーム部を前記装置本体に固定する嵌合手段を備える。
【００２２】
ユーザがスタンドを掴んで薄型表示装置を持ち運びする際、（１）及び（２）の構成では、装置本体が不安定な状態に置かれる。
【００２３】
つまり、装置本体は、装置本体後面に対し水平に回転可能なヒンジ部で固定されているので、持ち運びする際の振動により、装置本体が横方向に揺れるおそれがある。また、スタンドのアーム部が装置本体に対し前後方向に可動することから、装置本体が前方向に傾くおそれがある。
【００２４】
そこで、上記嵌合手段がスタンドのアーム部を前記装置本体に固定することで、薄型表示装置を持ち運びする際の不安定な状態を解消する。
【００２５】
以上より、薄型表示装置を持ち運びする際の不安定な状態を解消できる。
【発明の効果】
【００２６】
この発明によれば、装置本体を支持するスタンドを取手としても使用し、製造費のコストダウンや製造工程のスリム化を図ることができる。
【発明を実施するための最良の形態】
【００２７】
以下、本発明の実施形態である液晶ディスプレイ装置について説明する。
【００２８】
図１は、本発明の実施形態である液晶ディスプレイ装置の後面図、図２は、側面断面図である。図１及び図２において、（１）は、ユーザが液晶ディスプレイ装置でテレビ番組を見る場合の図で、（２）は、ユーザが液晶ディスプレイ装置を持ち運びする場合の図である。図３は、本発明の実施形態である液晶ディスプレイ装置の嵌合部における上面断面図である。
【００２９】
液晶ディスプレイ装置１は、ケーシング２と、ケーシング２の前面にて映像を表示する表示部９と、ケーシング２を支持するスタンド６と、スタンド６をケーシング２に固定する嵌合部５と、を備えている。
【００３０】
スタンド６は、ケーシング２の後面中心部に設けられ該後面に対し水平に回転するヒンジ部３と、該ヒンジ部３に連結され該ヒンジ部３とともに回転するアーム部４と、を有している。
【００３１】
ヒンジ部３は、ケーシング２の後面中心から僅かに上の位置に、回転軸７でケーシング２と固定されている。
【００３２】
アーム部４は、ケーシング２に対し前後方向に可動し（図２の（１）参照）、且つ該アーム部４の中間部に孔部８が設けられている。そして、アーム部４は、該アーム部４をケーシング２に対し上方へ回転させた場合に、該孔部８がケーシング２の上方に突出する（図１と図２の（２）参照）。
【００３３】
ここで、前方向とは、表示部９が設けられている方向であり、後方向とは、スタンド６が設けられている方向である（図２参照）。また、上方とは、ケーシング２を地面に対し垂直に設置した状態（図１と図２の（２）参照）を基準にした場合の上方という意味である。
【００３４】
ユーザが液晶ディスプレイ装置１でテレビ番組を見る場合、ケーシング２はスタンド６で支持される。
【００３５】
そして、ユーザが液晶ディスプレイ装置１を持ち運びする場合、ケーシング２がスタンド６に支持されている状態（図１及び図２（１）参照）から、ユーザは該スタンド６に対し次の（a）（b）の操作を行う。（a）スタンド６のアーム部４をケーシング２に対し前方向に動かす。（b）スタンド６を１８０度回転させる。
【００３６】
すると、アーム部４の孔部８がケーシング２の上方に突出するため、ユーザは、その孔部８に手を通すことができ、液晶ディスプレイ装置１を持ち運びすることができる（図１及び図２（２）参照）。
【００３７】
なお、（a）（b）の順は、逆であっても構わない。
【００３８】
以上より、ケーシング２を支持するスタンド６を取手としても使用し、製造費のコストダウンや製造工程のスリム化を図ることができる。
【００３９】
嵌合部５は、ケーシング２の後面の縦方向中心部よりも上部に設けられ、アーム部４をケーシング２に対し上方へ回転させた位置で該アーム部４をケーシング２に固定する（図１（２）参照）。
【００４０】
嵌合部５は、図３に示すように、アーム部４を嵌め込むことが可能な構造となっている。そして、アーム部４がケーシング２から簡単に外れないように、返り１０が付いている。
【００４１】
ユーザがスタンド６を掴んで液晶ディスプレイ装置１を持ち運びする際、上記嵌合部５が無い構成では、ケーシング２が不安定な状態に置かれる。
【００４２】
つまり、ケーシング２は、ケーシング２後面に対し水平に回転可能なヒンジ部３で固定されているので、持ち運びする際の振動により、ケーシング２が横方向に揺れるおそれがある（図１（２）参照）。また、スタンド６のアーム部４がケーシング２に対し前後方向に可動することから、ケーシング２が前方向に傾くおそれがある（図２（２）参照）。
【００４３】
そこで、嵌合部５がスタンド６のアーム部４をケーシング２に固定することで、液晶ディスプレイ装置１を持ち運びする際の不安定な状態を解消する。
【００４４】
以上より、液晶ディスプレイ装置１を持ち運びする際の不安定な状態を解消できる。
【００４５】
なお、本実施形態では、嵌合部５を一つしか設けていないが、ケーシング２と嵌合部５との接合強度を考慮して、複数設けても良い。複数設けた場合、ケーシング２と嵌合部５との接合部分に加わる力もそれだけ分散されることになり、当然に接合強度は増す。
【００４６】
ここで、液晶ディスプレイ装置１が、本発明の「薄型表示装置」に相当する。ケーシング２が、本発明の「装置本体」に相当する。
【００４７】
次に、本発明の他の実施形態である液晶ディスプレイ装置について説明する。
【００４８】
図４は、本発明の他の実施形態である液晶ディスプレイ装置の後面図、図５は、側面断面図である。（１）は、ユーザが液晶ディスプレイ装置でテレビ番組を見る場合の図で、（２）は、ユーザが液晶ディスプレイ装置を持ち運びする場合の図である。
【００４９】
図４の液晶ディスプレイ装置１１が、図１の液晶ディスプレイ装置１と構成において相違する点は、スタンド１６をスライドさせるスライド部２０を設けた点である。スライド部２０を設けたことにより、スタンド１６の長手方向の長さは、スタンド６と比し短くしている（図１、図４参照）。
【００５０】
スタンド１６のヒンジ部１３は、ケーシング１２の後面中心に設けられ、回転軸７でスライド部２０と固定されている。
【００５１】
スライド部２０は、ケーシング１２の後面中心部に設けられ、ヒンジ部１３をケーシング１２に対し縦方向上下へスライドさせる。
【００５２】
ここで、縦方向とは、ディスプレイの縦横を基準とした場合の縦方向という意味である（図４（２）参照）。
【００５３】
スライド部２０は、ケーシング１２の重さに相当する力がヒンジ部１３に加わってもスライドせず、該力を超えた力がヒンジ部１３に加わった場合に、ヒンジ部１３をケーシング１２に対し縦方向上下へスライドさせる。ケーシング１２の重さに相当する力を超えた力がヒンジ部１３に加わった場合とは、ユーザがヒンジ部１３に該力を加えた場合を想定している。
【００５４】
ユーザが液晶ディスプレイ装置１１を持ち運びする場合、ケーシング１２がスタンド１６に支持されている状態（図４及び図５（１）参照）から、ユーザは該スタンド１６に対し次の（a）（b）（ｃ）の操作を行う。
【００５５】
（a）スタンド１６のヒンジ部１３をケーシング１２に対し縦方向上へスライドさせる。（ b）スタンド１６のアーム部１４をケーシング１２に対し前方向に動かす。（c）スタンド１６を１８０度回転させる。
【００５６】
すると、アーム部１４の孔部１８がケーシング１２の上方に突出するため、ユーザは、その孔部１８に手を通すことができ、スタンド１６を掴んで液晶ディスプレイ装置１１を持ち運びすることができる（図４及び図５（２）参照）。
【００５７】
なお、（a）（b）（c）の順は、問わない。
【図面の簡単な説明】
【００５８】
【図１】本発明の実施形態である液晶ディスプレイ装置の後面図
【図２】本発明の実施形態である液晶ディスプレイ装置の側面断面図
【図３】本発明の実施形態である液晶ディスプレイ装置の嵌合部における上面断面図
【図４】本発明の他の実施形態である液晶ディスプレイ装置の後面図
【図５】本発明の他の実施形態である液晶ディスプレイ装置の側面断面図
【符号の説明】
【００５９】
１−液晶ディスプレイ装置
２−ケーシング
３−ヒンジ部
４−アーム部
５−嵌合部
６−スタンド
７−回転軸
８−孔部
９−表示部
１０−返り
１１−液晶ディスプレイ装置
１２−ケーシング
１３−ヒンジ部
１４−アーム部
１６−スタンド
１８−孔部
２０−スライド部
【図１】
2006301211.tif 000003
【図２】
2006301211.tif 000004
【図３】
2006301211.tif 000005
【図４】
2006301211.tif 000006
【図５】
2006301211.tif 000007